(57)【要約】【課題】  マウスの中に送信回路を組み込み、外観形状をマウス型ラジコン送信機とし、片手でも前進、後進、右折、左折、前進しながらの右折又は左折、後進しながらの右折又は左折等の複雑な操作を確実に行うことを可能とするマウス型ラジコン送信機を提供する。【解決手段】  マウス型ラジコン送信機本体をベース部材上で前後スライド自在とし、マウス型ラジコン送信機本体の前進、後進スライドによって前進、後進信号を送信し、被操縦体の前進、後進駆動を行い、マウス型ラジコン送信機の右折用クリックボタン又は左折用クリックボタンの押圧操作によって送信回路を介して、被操縦体の右折又は左折を行えるように構成し、更に前進しながらの右折又は左折、後進しながらの右折又は左折を行えるように構成したマウス型ラジコン送信機を提供する。【選択図】  図１
2005323957.tif 000002
【特許請求の範囲】
【請求項１】
ラジコン送信機の外観形状をマウス型に形成し、マウス型ラジコン送信機本体の前後方向スライド操作によってマウス型ラジコン送信機本体内に収納された送信回路からの受信回路側への送信信号を前後動作信号として送信し、マウス型ラジコン送信機本体の右折用クリックボタンの押圧によってマウス型ラジコン送信機本体内に収納された送信回路からの受信回路側への送信信号を右折動作信号として送信し、マウスの左折用クリックボタンの押圧によってマウス型ラジコン送信機本体内に収納された送信回路からの受信回路側への送信信号を左折動作信号として送信するように構成されたことを特徴とするマウス型ラジコン送信機。
【請求項２】
下側ハウジングの内側底面にスライド自在に収納されたスライド部材は、下側ハウジング部材の下面に位置するベース部材に固定用ボルトによって固定されており、また、ベース部材の下面の任意個所には滑り止め材が固定されおり、マウス型ラジコン送信機本体が該ベース部材上を前後にスライドできるように構成されたことを特徴とする請求項１記載のマウス型ラジコン送信機。
【請求項３】
マウス本体から延長される擬似ＵＳＢケーブルが、送信機の送信用アンテナであり、また、擬似ＵＳＢケーブルの先端に取り付けられたコネクターは本来のコネクター機能を持たず、擬似的にとりつけられていることを特徴とする請求項１記載のマウス型ラジコン送信機。
【発明の詳細な説明】
【技術分野】
【０００１】  本発明はマウス型ラジコン送信機に関し、特に片手で全ての操作を行うことのできる玩具や模型用のマウス型ラジコン送信機に関するものである。
【背景技術】
【０００２】  従来、玩具や模型のラジオコントロール送信機は、単なる前進，後進等の簡単な動作では片手で操作が可能な送信機が存在した。しかしながら、前進、後進、左折、右折等の複雑な操作を確実に行うためには、片手で送信機本体を固定し、反対の手でレバーを操作する方法しかなかった。例えば、特開平８−１０７５９２号公報の図１にあるように、送信機本体の表面に全ての操作スイッチがあり、特に一対のスティックレバーを、両手を使って操作するようになっている。つまり片手のみで前進、後進、左折、右折等の複雑な操作を確実に行う送信機はなかった。【０００３】
【特許文献１】          特開平８−１０７５９２号公報
【発明の開示】
【発明が解決しようとする課題】
【０００４】  本発明が解決しようとする課題は、一般的にコンピューターの操作を簡単にするためのツールとして世界的に使用されている「マウス」の中に送信回路を組み込み、片手でも前進、後進、左折、右折等の複雑な操作を確実に行うことを可能とする「マウス型ラジコン送信機」を提供することである。
【課題を解決するための手段】
【０００５】  本発明は、前記せるような従来の課題を解決するために鋭意研究の結果、発明されたものであり、ラジコン送信機の形状をマウス型に形成し、マウス型ラジコン送信機本体の前後方向スライド操作によってマウス型ラジコン送信機本体内に収納された送信回路からの受信回路側への送信信号を前後動作信号として送信し、マウス型ラジコン送信機本体の右折用クリックボタンの押圧によってマウス型ラジコン送信機本体内に収納された送信回路からの受信回路側への送信信号を右折動作信号として送信し、マウス型ラジコン送信機本体の左折用クリックボタンの押圧によってマウス型ラジコン送信機本体内に収納された送信回路からの受信回路側への送信信号を左折動作信号として送信するように構成されたことを特徴とし、下側ハウジングの内側底面にスライド自在に収納されたスライド部材は、下側ハウジング部材の下面に位置するベース部材に固定用ボルトによって固定されており又、ベース部材の下面の任意個所には滑り止め材が固定されおり、マウス型ラジコン送信機本体が該ベース部材上を前後にスライドできるように構成されたことを特徴とし、且つ、マウス型ラジコン送信機本体から延長される擬似ＵＳＢケーブルが、送信機の送信用アンテナであり、また、擬似ＵＳＢケーブルの先端に取り付けられたコネクターは本来のコネクター機能を持たず、擬似的に取り付けられていることを特徴とするマウス型ラジコン送信機を提供するものである。
【発明の効果】
【０００６】  本発明によれば、従来の両手使用の送信機に対して、送信機本体をマウス型にすることによって、片手で操作できるようにして使い易くすることができる。一般的にマウスは複雑なコンピューター操作をそれひとつで行うことを目的として開発されたものである。その操作性の優位性は世界的にそれが使用され保証されており、また、コンピューターを操作する者ならマウスの使用に慣れ親しんでいるので、その形状をラジコン送信機にすることでラジオコントロールの操縦に今まであまり興味を示さなかったユーザー層である女性にも、従来方式の送信機よりも格段に容易にラジオコントロール玩具やラジオコントロール模型を楽しむことを可能とする効果は大きい。
【発明を実施するための最良の形態】
【０００７】  以下、図面に基づいて、本発明を実施するための最良の形態を具体的に説明する。
図面に於いて、図１は本発明マウス型ラジコン送信機の全体斜視図である。図２は本発明マウス型ラジコン送信機を背面から見た斜視図である。図３は図１の矢印Ｃ−Ｃ線の断面図である。図４は被操縦体の一例を示す平面図である。【０００８】  ラジコン送信機の形状をマウス型に形成し、下側ハウジング部材１１と上側ハウジング部材１と右折用クリックボタン２と左折用クリックボタン３とからマウス型ラジコン送信機Ｄの外観形状が形成されている。アンテナ６は擬似ＵＳＢケーブルであり、その先端には擬似コネクターが設けられている。従って本発明のマウス型ラジコン送信機Ｄは市場で既存のマウスの形状と同じである。この形状を送信機として使い易くしたものである。【０００９】  下側ハウジング部材１１の内側底面にはスライド自在に収納されたスライド部材５があり、該スライド部材５の両サイドには突条５１，５１が形成されている。スライド部材５は下側ハウジング部材１１の下面に位置するベース部材８に固定用ボルト１２によって部分的に固定されている。また、ベース部材８の下面の任意個所には滑り止め材９が固定されおり、マウス型ラジコン送信機Ｄの本体が該ベース部材８上を前後にスライドできるように構成されている。【００１０】  マウス型ラジコン送信機Ｄの本体を矢印Ａ又は矢印Ｂで示すように前後方向にスライド操作することによってマウス型ラジコン送信機Ｄ内に収納された送信回路１０からの受信回路１５側への送信信号を前後動作電波信号として送信し、マウス型ラジコン送信機Ｄの右折用クリックボタン２の押圧によって送信回路１０からの受信回路１５側への送信信号を右折動作信号として送信し、マウス型ラジコン送信機Ｄの左折用クリックボタン３の押圧によって送信回路１０からの受信回路１５側への送信信号を左折動作信号として送信するように構成されている。【００１１】  マウス型ラジコン送信機Ｄ本体から延長される擬似ＵＳＢケーブルが、送信機の送信用アンテナ６であり、また、擬似ＵＳＢケーブルの先端に取り付けられた擬似コネクター７は本来のコネクター機能を持たず、擬似的に取り付けられているものである。【００１２】  スライド部材５の前後動や右折用クリックボタン２、左折用クリックボタン３の動作に基づく信号は送信回路１０を介して、走行玩具を一例とした被操縦体Ｅの受信回路１５に受信される。この結果、被操縦体Ｅは前進、後進、右折、左折、前進させながらの右折又は左折、後進させながらの右折又は左折等の動作を被操縦体Ｅにさせることができる。
被操縦体Ｅの一例として図４に示したラジコンカー１４は受信回路１５を介して駆動部１８、１８によって前輪１６の操舵乃至後輪１７を駆動させることができる。
【産業上の利用可能性】
【００１３】  この構成によれば、片手で被操縦体Ｅに前進、後進、右折、左折、前進させながら左右いずれかの進行方向を可変自在に動作をさせ、また、後進させながら左右いずれかの進行方向を可変自在に動作をさせることができるので、被操縦体Ｅの一例として図４に示したラジコンカー１４に限らず、本発明のマウス型ラジコン送信機は、他の被操縦体Ｅ、例えばロボットや人形の動作にも応用することができる。
【図面の簡単な説明】
【００１４】
【図１】  本発明マウス型ラジコン送信機の全体斜視図である。
【図２】  本発明マウス型ラジコン送信機を背面から見た斜視図である。
【図３】  図１の矢印Ａ−Ａ線の断面図である。
【図４】  被操縦体の一例を示す平面図である。
【符号の説明】
【００１５】Ａ．前進方向矢印
Ｂ．後進方向矢印
Ｃ．断面を示す矢印
Ｄ．マウス型ラジコン送信機
Ｅ．被操縦体
１．上側ハウジング部材
１１．下側ハウジング部材
２．右折用クリックボタン
３．左折用クリックボタン
４．インジケータ兼用スイッチ
５．スライド部材
５１．突条
６．アンテナ（擬似ＵＳＢケーブル）
７．擬似コネクター
８．ベース部材
９．滑り止め部材
１０．送信回路
１２．固定用ボルト
１３．リード線
１４．ラジコンカー
１５．受信回路
１６．前輪
１７．後輪
１８．駆動部
１９．アンテナ
【図１】
2005323957.tif 000003
【図２】
2005323957.tif 000004
【図３】
2005323957.tif 000005
【図４】
2005323957.tif 000006